【事件の表示】
　平成　３年特許願第２９１９７５号「電子楽器の音色制御装置」拒絶査定に対する審判事件［平成　５年　４月３０日出願公開、特開平　５−１０８０７０］について、次のとおり審決する。
【結　論】
　本件審判の請求は、成り立たない。
【理　由】
［１］手続の経緯、本願発明
　本願は、平成３年１０月１４日の出願であって、その発明は、平成９年１０月３１日及び平成１１年７月２２日付け手続補正書により補正された明細書および図面の記載からみて、その特許請求の範囲の請求項１及び２に記載された「電子楽器の音色制御装置」にあると認められるところ、その請求項１に係る発明（以下「本願発明」という。）は、次のとおりのものである。
「【請求項１】　発音すべき音色タイプを指示する指示手段と、
　音色タイプを示す情報を含んでなる音色データを記憶する記憶手段と、
　前記指示手段により所定の音色タイプが指示された際、該記憶手段を検索して指示された音色タイプと同じ音色タイプを示す情報を有する音色データを読み出し、読み出された音色データに基づき音色を決定する制御手段と、を具備し、
　前記記憶手段に記憶される音色データを構成するパラメータは、音色タイプによって異なることを特徴とする、電子楽器の音色制御装置。」
［２］引用例
　これに対して、原査定の拒絶の理由に引用された特開平３−２０８０９６号公報（平成３年９月１１日出願公開、以下「引用例」という。）には、「電子楽器の音色設定装置」に関して、
（ａ）「複数の音色グループのうち任意のものを選択するための第１の選択手段と、この第１の選択手段で選択された音色グループに属する複数の音色のうち任意のものを選択するための第２の選択手段と、この第２の選択手段で選択された音色に対応して楽音信号の音色特性を設定する設定手段とをそなえた電子楽器の音色設定装置。」（特許請求の範囲）が記載され、さらに具体的に、
（ｂ）「この発明の構成によれば、多数の音色を例えばピアノ系のもの、オルガン系のものというように楽器種類に対応して複数にグループ分けしておくことにより第１及び第２の選択手段で簡単且つ迅速に所望の音色を選択することができる。すなわち、演奏に使用したい楽器種類は通常容易に判明するので、該楽器種類に対応した音色グループを第１の選択手段で選択した後、この選択に係る音色グループ中のいつくかの音色のうちから所望の音色を第２の選択手段で選択すればよく、音色番号表を調べたり、キー操作を多数回繰り返したりする煩雑さを免れることができる。」（公報２頁左上欄１５行〜右上欄６行、［作用］の項）、
（ｃ）「
回路構成（第１図
（ｄ）「ワーキングメモリ１６は、ＣＰＵ１２による各種の処理に際して利用されるレジスタを含むもので、（中略）（５）読み出し用グループナンバレジスタｎ・・・これは、データメモリ１８からグループデータを読み出す際に使用されるレジスタであって、（中略）（６）読み出し用波形ナンバレジスタＷ・・・これは、データメモリ１８から波形データを読み出す際に使用されるレジスタであって、（後略）」（公報２頁左下欄１行〜右下欄２０行）、
（ｅ）「データメモリ１８は、第２図（ａ）〜（ｃ）に示すようにグループデータ記憶部、波形名データ記憶部、チャンネル名データ記憶部等を含むものである。第２図（ａ）のグループデータ記憶部には、０〜１４のグループナンバｎ（レジスタｎの値）にそれぞれ対応して表示用のグループ名データ「Ｐｉａｎｏ」、「Ｏｒｇａｎ」・・・「Ｏｓｃ」が記憶されると共に、ｎ＝０〜１４のグループにそれぞれ対応してグループ中の先頭波形のナンバを表す先頭波形ナンバデータ「０」、「５」・・・「１５０」が記憶されている。（中略）第２図（ｂ）の波形名データ記憶部には、０〜１５０の波形ナンバＷ（レジスタＷの値）にそれぞれ対応して表示用の波形名データ「Ｐｉａｎｏ」、「Ｅ．Ｐｉａｎｏ」・・・「Ｎｏｉｓｅ」が記憶されている。この実施例では、音色グループとして、ｎ＝０〜１４の１５グループが定められており、ｎ＝０のグループにはＷ＝０〜４の波形が属し、ｎ＝１のグループにはＷ＝５〜８の波形が属し・・・ｎ＝１４のグループにはＷ＝１５０〜１６０の波形が属する。」（公報３頁左上欄３行〜右上欄９行）、
（ｆ）「第３図及び第４図を参照してエディット動作（音色及び音量の設定動作）の概要を述べる。（中略）この状態では、スイッチＵＤＳの操作により任意のグループを選択でき、選択されたグループのグループ名と、該グループの先頭波形の波形名及び波形ナンバとが表示される。（中略）スイッチＵＤＳの操作により表示中のグループ名に関して任意の波形（音色）を選択でき、選択された波形名及び波形ナンバが表示される。」（公報３頁右下欄１０行〜４頁右上欄２行）、
（ｇ）「
エディットのサブルーチン（第９図
（ｈ）「この発明によれば、所望の音色グループを選択した後、グループ内音色を選択するようにしたので、初心者等であっても簡単且つ迅速に所望の音色を設定できる効果が得られるものである。」（公報８頁右上欄４行〜８行、［発明の効果］の項）と記載されている。
［３］本願発明と引用例との対比・判断
［３−１］　本願発明と引用例に記載された発明とを対比すると、引用例の「音色グループ」「中央処理装置（ＣＰＵ）１２」は、それぞれ本願発明の「音色タイプ」「制御手段」に相当している。
　引用例の「第１の選択手段」は具体的には実施例ではスイッチＵＤＳ（アップダウンスイッチ）で、音色グループを選択するためのものであるので、本願発明の「発音すべき音色タイプを指示する指示手段」に相当している。
　引用例の「データメモリ１８」は、グループデータ記憶部と波形名データ記憶部を含み、波形名データ記憶部には、波形ナンバとこれに対応して波形名データが記憶されているので、本願発明の「音色タイプを示す情報を含んでなる音色データを記憶する記憶手段」に相当している。
　引用例では、上記ＣＰＵ（「制御手段」に相当）は、音色グループを選択する第１の選択手段（ダウンスイッチ）の操作に応じて、グループナンバを（−１）してこれを読出用グループレジスタｎにセットし、先頭波形ナンバを読出用波形ナンバレジスタＷにセットするよう制御するものであり、第１の選択手段で選択された音色グループに属する複数の音色のうち任意のものを選択するための第２の選択手段（ダウンスイッチ）の操作に応じて、波形ナンバを（−１）してこれを読出用波形ナンバレジスタＷにセットするよう制御するものである。
　よって、両者は、
「発音すべき音色タイプを指示する指示手段と、
　音色タイプを示す情報を含んでなる音色データを記憶する記憶手段と、
　前記指示手段により所定の音色タイプが指示された際、該記憶手段から、指示された音色タイプと同じ音色タイプを示す情報を有する音色データを読み出し、読み出された音色データに基づき音色を決定する制御手段と、を具備する電子楽器の音色制御装置。」である点で共通し、以下の相違点で一応相違している。
（相違点イ）　上記「制御手段」が、「記憶手段」から「指示された音色タイプと同じ音色タイプを示す情報を有する音色データを読み出し」する際、本願発明では、「記憶手段を検索して」読み出すのに対し、引用例に記載された発明では、明記されていない点。
（相違点ロ）　本願発明では、「記憶手段に記憶される音色データを構成するパラメータは、音色タイプによって異なることを特徴とする」のに対し、引用例に記載された発明では、特に記載されていない点。
［３−２］相違点イについて
　引用例では、グループナンバとグループ名と先頭波形ナンバの対応関係を記憶するグループデータ記憶部と、波形データを音色グループ毎にまとめて波形ナンバの順序で記憶する波形名データ記憶部とに基づいて音色データを読み出していて、所定の音色タイプが指示された際、音色タイプが読出用グループレジスタにセットされると共に、グループデータ記憶部に記憶されている上記対応関係に基づいて、グループナンバ（「音色タイプ」に相当）に対応する先頭波形ナンバが得られ、指示された音色タイプと同じ音色グループの音色データが読み出される。
　一般に、記憶手段に記憶されているデータを読み出すにあたり、所望のデータを検索して読み出すことは周知であるので、引用例のように順序に記憶しているデータをその先頭を指定して順に読み出すことに代え、検索して読み出すとすることは、当業者が容易になしうることである。
［３−３］相違点ロについて
　音色データを構成するパラメータが音色毎に異なっていることは従来より普通に知られていることであると共に、一方、音色の性質の類似するものの音色のパラメータが類似性を有することから、これらをまとめて、たとえば、持続音系、減衰音系、ビブラート付加するもの等で共通してパラメータを用いることは、周知である。（例えば、特開昭６１−１７６９９１号公報参照（審査時の拒絶理由の引用例））。
　よって、類似性のある音色のパラメータを共通とすることは当業者が適宜採用しうることであるので、引用例の装置において、音色データを構成するパラメータをその音色グループ毎に異なるようにすることは、当業者であれば、容易に想到し得ることである。
　そして、出願人が主張する効果は、引用例および上記周知の技術から予測される範囲内のものである。
［４］むすび
　したがって、本願発明は、本願出願前に頒布された刊行物である引用例に記載された発明に基いて当業者が容易に発明をすることができたものであるから、本願発明は、特許法第２９条第２項の規定により特許を受けることができない。他の請求項に係る発明について検討するまでもなく、本願は拒絶すべきものである。
　よって、結論のとおり審決する。